(57)【特許請求の範囲】
【請求項１】
水道管からの水を供給するための給水電磁弁と、水道管への逆流を防止するための逆止弁とを備える逆流防止装置において、
前記給水電磁弁の出力ポートと前記逆止弁の入力ポートとを連通させる弁室と、前記弁室に連通する大気開放された排水路と、前記弁室内に配設された弁体と、前記弁体が当接または離間する第１弁座および第２弁座と、前記弁体を前記第１弁座に当接させる方向に付勢する付勢バネとを備える排水電磁弁を有し、
前記排水電磁弁がＯＮされると、前記弁体が前記第１弁座から離間して前記第２弁座に当接し、前記給水電磁弁の出力ポートと前記逆止弁の入力ポートとが連通し、
前記排水電磁弁がＯＦＦされると、前記弁体が前記第２弁座から離間して前記第１弁座に当接し、前記給水電磁弁の出力ポートと前記排水路とが連通することを特徴する逆流防止装置。
【請求項２】
請求項１に記載する逆流防止装置において、
前記付勢バネは、前記排水電磁弁がＯＦＦされたときに、前記排水路から前記逆止弁の入力ポートに大気が吸い込まれないように前記弁体を前記第１弁座に当接させるだけの付勢力を有することを特徴する逆流防止装置。
【請求項３】
請求項１または請求項２に記載する逆流防止装置において、
水道管から給水を行うときには、前記排水電磁弁がＯＮされた後に前記給水電磁弁がＯＮされ、
水道管からの給水を停止するときには、前記給水電磁弁がＯＦＦされた後に前記排水電磁弁がＯＦＦされることを特徴する逆流防止装置。
【請求項４】
請求項１から請求項３に記載するいずれか１つの逆流防止装置において、
前記給水電磁弁と前記排水電磁弁との間に設けられ、給水量を計測する流量センサを備え、
前記給水電磁弁がＯＮされた後に前記流量センサが検出する給水量が所定量より少ない場合には、前記排水電磁弁がＯＦＦされることを特徴する逆流防止装置。
【発明の詳細な説明】
【０００１】
【発明の属する技術分野】
本発明は、水道管から浴槽などへ給水を行う給湯機などの給水装置に備わる逆流防止装置に関する。さらに詳細には、逆流防止装置に備わる逆止弁が故障した場合でも、水道管へ雑水が逆流することを防止することができる逆流防止装置に関するものである。
【０００２】
【従来の技術】
従来から、浴槽などへの給水を行うための給湯機などの給水装置には、日本水道協会の基準により、浴槽などから水道管への雑水の逆流を防止するための逆流防止装置を設ける必要がある。そして、現在、逆流防止装置としては、図６に示すような、２つの逆止弁１０１，１０１を備えるダブル逆止弁方式の逆流防止装置１００が主流となっている。この逆流防止装置１００は、給水を行う給水電磁弁１０２と、給水量を計測する流量センサ１０３と、逆流を防止するための２つの逆止弁１０１，１０１とから構成されている。
【０００３】
そして、給水を行う場合には、給水電磁弁１０２がＯＮされる。これにより、給水電磁弁１０２が開き、逆流防止装置１００内に水道管から水が流れ込む。このとき、流量センサ１０３により給水量が計測される。そして、逆流装置１００内に流れ込んだ水の圧力により、２つの逆止弁１０１，１０１が順次開く。かくして、水道管からの水が浴槽などに供給される。
【０００４】
ここで、例えば、断水などにより水道管が負圧になった場合などに、浴槽などから水道管への雑水の逆流が発生するおそれがある。このような場合、このダブル逆止弁方式の逆流防止装置１００では、装置内に設けられた２つの逆止弁１０１，１０１の働きにより、浴槽などから水道管への雑水の逆流が防止されるようになっている。
【０００５】
【発明が解決しようとする課題】
しかしながら、上記したダブル逆止弁方式の逆流防止装置１００では、逆止弁１０１のみで浴槽などから水道管への雑水の逆流を防止するようになっているので、逆止弁１０１が故障したとき、水道管内が負圧になった場合など装置上流（ＩＮ）側の圧力が装置下流（ＯＵＴ）側の圧力よりも低くなった場合に、浴槽などから水道管へ雑水が逆流するという問題があった。この問題を解決するために給水電磁弁と逆止弁の間を大気開放するという対策があるが、この対策では大気を吸い込み装置下流（ＯＵＴ）側の水位が変動してしまうという問題があった。
【０００６】
そこで、本発明は上記した問題点を解決するためになされたものであり、逆止弁が故障した場合でも、装置下流側から装置上流側への逆流を防止することができるとともに、装置下流側の水位を保つことができる逆流防止装置を提供することを課題とする。
【０００７】
【課題を解決するための手段】
上記問題点を解決するためになされた本発明に係る逆流防止装置は、水道管からの水を供給するための給水電磁弁と、水道管への逆流を防止するための逆止弁とを備える逆流防止装置において、給水電磁弁の出力ポートと逆止弁の入力ポートとを連通させる弁室と、弁室に連通する大気開放された排水路と、弁室内に配設された弁体と、弁体が当接または離間する第１弁座および第２弁座と、弁体を第１弁座に当接させる方向に付勢する付勢バネとを備える排水電磁弁を有し、排水電磁弁がＯＮされると、弁体が第１弁座から離間して第２弁座に当接し、給水電磁弁の出力ポートと逆止弁の入力ポートとが連通し、排水電磁弁がＯＦＦされると、弁体が第２弁座から離間して第１弁座に当接し、給水電磁弁の出力ポートと排水路とが連通することを特徴するものである。
【０００８】
この逆流防止装置では、給水時には給水電磁弁、排水電磁弁がともにＯＮされている。このため、排水電磁弁では、弁体が第１弁座から離間して第２弁座に当接するので、給水電磁弁の出力ポートと逆止弁の入力ポートとが連通している。これにより、水道管からの水が装置下流側へ供給される。
【０００９】
そして、水道管が断水により負圧になった場合など装置上流側の圧力が装置下流側の圧力よりも低くなったとき、排水電磁弁はＯＦＦされているので、排水電磁弁の弁体が第２弁座から離間して第１弁座に当接し、給水電磁弁の出力ポートと排水路とが連通する。このため、水道管には一端が大気開放された排水路から大気が吸い込まれる。したがって、たとえ逆止弁が故障したとしても、装置下流側から装置上流側への逆流が防止される。また、このとき、装置下流側は排水電磁弁により閉鎖されているので、水道管に大気が吸い込まれても、装置下流側の水位は変動しない。
【００１０】
ここで、逆止弁が故障した場合、排水電磁弁の弁体には装置下流側の圧力（水頭圧）が加わり、不勢バネのバネ荷重が小さいと弁体が第１弁座から離間していまい、装置下流側から雑水が逆流してくる。しかしながら、逆流してきた雑水は、排水路から排水されるので、装置上流側へ逆流することはない。したがって、本発明に係る逆流防止装置においては、付勢バネは、排水電磁弁がＯＦＦされたときに、排水路から逆止弁の入力ポートに大気が吸い込まれないように弁体を第１弁座に当接させるだけの付勢力があればよい。このように付勢力が小さいバネを使用することができるので、排水電磁弁を小さくすることができる。
【００１１】
また、本発明に係る逆流防止装置においては、水道管から給水を行うときには、排水電磁弁がＯＮされた後に給水電磁弁がＯＮされ、水道管からの給水を停止するときには、給水電磁弁がＯＦＦされた後に排水電磁弁がＯＦＦされることが望ましい。
【００１２】
給水電磁弁と排水電磁弁を同時にＯＮ，ＯＦＦさせると、ＯＮ，ＯＦＦ時に排水路から水が流れ出てしまうが、このように給水電磁弁と排水電磁弁のＯＮ，ＯＦＦのタイミングをずらすことにより、排水路から流れ出る水をほとんど無くすことができる。また、給水電磁弁と排水電磁弁のＯＮのタイミングをこのようにずらすことにより、排水電磁弁の弁体に圧力がかかっていない状態で、弁体を第１弁座から離間させることができるので、排水電磁弁を小さくすることができる。
【００１３】
さらに、本発明に係る逆流防止装置においては、給水電磁弁と排水電磁弁との間に設けられ、給水量を計測する流量センサを備え、給水電磁弁がＯＮされた後に流量センサが検出する給水量が所定量より少ない場合には、排水電磁弁がＯＦＦされることが望ましい。こうすることにより、装置上流側が負圧になった場合には、必ず給水電磁弁の出力ポートと排水路とが連通して、水道管に排水路から大気が吸い込まれるので、水道管への雑水の逆流を防止することができるからである。
【００１４】
【発明の実施の形態】
以下、本発明の逆流防止装置を具体化した最も好適な実施の形態について図面に基づいて詳細に説明する。そこで、本実施の形態に係る逆流防止装置の概略構成を図１に示す。図１は、逆流防止装置１０を示す断面図である。この逆流防止装置１０は、給水電磁弁２０と、流量センサ３０と、排水電磁弁４０と、逆止弁６０とを備えており、ＯＵＴ（装置下流）側からＩＮ（装置上流）側への逆流を防止するものである。そして、ＩＮ側が図示しない水道管に接続され、ＯＵＴ側が図示しない浴槽に接続されている。
【００１５】
給水電磁弁２０は、逆流防止装置１０のＩＮ側に接続される水道管からの水を装置内、さらにはＯＵＴ側に接続される浴槽へ供給するためのものである。この給水電磁弁２０の上部は、ソレノイド部２１により構成されている。このソレノイド部２１は、磁気枠２２、中空状のコイルボビン２３ａに銅線が巻かれたコイル２３と、コイルボビン２３ａの中空の両端に嵌入され固定された磁性チューブ２４と、磁性チューブ２４の筒内に挿入された中空状のガイドスリーブ２５と、ガイドスリーブ２５の中空内に摺動可能に嵌合された可動鉄心２６とで構成されている。
【００１６】
そして、可動鉄心２６の下端は、ダイヤフラム弁体２７に連結されている。ダイヤフラム弁体２７の下部外周には、ゴム製のダイヤフラム部２７ａが固設されている。このダイヤフラム弁体２７は、可動鉄心２６の上端部に設けられた付勢バネ３３により、弁座２８に当接される方向に常に付勢されるようになっている。したがって、ソレノイド部２１に通電していないときには、図１に示すように、ダイヤフラム弁体２７は、弁座２８に当接している。また、ダイヤフラム弁体２７には、連通路３１が穿設されている。連通路３１は、入水ポート３８とダイヤフラム室２９とを連通している。
【００１７】
また、弁座２８に連通して入水ポート３８が形成されている。そして、弁座２８の中央に形成された出力ポート３２は、排水電磁弁４０の入力ポート５１に連通している。この出力ポート３２の途中に、流量センサ３０が設けられている。この流量センサ３０は、出力ポート３２を流れる水の量、すなわち給水量を計測するものである。
【００１８】
排水電磁弁４０は、逆流防止装置１０のＯＵＴ側から逆流した水を排出するとともに、給水電磁弁２０により逆流防止装置１０内に供給された水を、逆流防止装置１０のＯＵＴ側に接続される浴槽へ供給するためのものである。この排水電磁弁４０の右部は、給水電磁弁２０と同様にソレノイド部４１により構成されている。このソレノイド部４１は、磁気枠４２、中空状のコイルボビン４３ａに銅線が巻かれたコイル４３と、コイルボビン４３ａの中空の両端に嵌入され固定された磁性チューブ４４と、磁性チューブ４４の筒内に挿入された中空状のガイドスリーブ４５と、ガイドスリーブ４５の中空内に摺動可能に嵌合された可動鉄心４６とで構成されている。そして、可動鉄心４６の左端は、円盤形状の弁体４７に連結されている。弁体４７の左側外周と右側外周には、それぞれゴム製の弁シート４７ａと４７ｂとが固設されている。
【００１９】
一方、排水電磁弁４０の左部には、出力ポート３２と連通する入力ポート５１と、逆止弁６０の入力ポート６６と連通する出力ポート５２とが形成されている。そして、これら入力ポート５１と出力ポート５２とは、ともに弁室４９に連通している。また、弁室４９と出力ポート５２との連通部分には第１弁座５４が形成されている。さらに、弁室４９には、一端が大気開放された排水路５３が連通し、弁室４９と排水路５３との連通部分に第２弁座５５が形成されている。これらの第１弁座５４と第２弁座５５とは互いに対向するように形成されている。そして、上記した弁体４７は、弁室４９内に配設され、可動鉄心４６の右端部に設けられた付勢バネ４８により、第１弁座５４に当接される方向に常に付勢されるようになっている。したがって、ソレノイド部４１へ通電されていないときは、給水電磁弁２０の出力ポート３２と排水路５３とが連通している。
【００２０】
ここで、付勢バネ４８の付勢力は、排水電磁弁４０のソレノイド部４１への通電が行われていないときに、排水路５３から出力ポート５２に大気が吸い込まれないように弁体４７の弁シート４７ａを第１弁座５４に当接させられるように設定されている。
【００２１】
逆止弁６０は、ＯＵＴ側からの雑水の逆流を防止するためのものである。この逆止弁６０は、ケーシングに形成された弁座６５と、弁座６５に当接または離間する弁体６１と、弁体６１を弁座６５に当接させる方向に付勢する付勢バネ６９とから構成されている。そして、弁体６１の弁座６５に対する当接部にはゴム製の弁シート６２が固設されている。また、弁体６１には、自身の弁座６５に対する移動を案内するために、入力ポート６６に沿って摺動可能な複数の中央リブ６３と、ケーシングに対する弁体６１の移動を案内するためにケーシングに沿って摺動可能な複数の外周リブ６４とが形成されている。
【００２２】
そして、逆止弁６０は、入力ポート６６から弁体６１に水圧が作用したとき、スプリング６９の付勢力に抗して弁体６１を弁座６５から引き離し、水の通過をを許容するようになっている。一方、出力ポート６７から水圧が作用したときには、スプリング４の付勢力及び水圧に基づいて弁体６１を弁座６５に押し付けて出力ポート６７からの逆流を防止するようになっている。これにより、出水ポート６７からの雑水の逆流が逆止弁６０により防止されるようになっている。
【００２３】
次に、上記のような構成を有する逆流防止装置１０の動作について説明する。まず、逆流防止装置１０の非給水状態について図１を参照しつつ説明する。このとき、給水電磁弁２０のソレノイド部２１には通電されておらず、可動鉄心２６は、付勢バネ３３により下方向に付勢されており、ダイヤフラム弁体２７が弁座２８に当接している。また、排水電磁弁４０のソレノイド部４１にも通電されておらず、可動鉄心４６は、付勢バネ４８により左方向に付勢されており、弁体４７が第１弁座５４に当接している。このため、入力ポート５１と排水路５３とが連通する一方、出力ポート５２は閉鎖されている。
【００２４】
続いて、通常運転時、つまり給水時における逆流防止装置１０の動作について、図２を参照しつつ説明する。給水開始時には、まず、排水電磁弁４０のソレノイド部４１への通電が開始される。そうすると、可動鉄心４６が磁性チューブ４４に吸引される。この吸引力は、付勢バネ４８の付勢力よりも大きいので、弁体４７の弁シート４７ａが第１弁座５４から離間し、弁シート４７ｂが第２弁座５５に当接する。これにより、排水電磁弁４０の入力ポート５１と出力ポート５２とが連通し、排水路５３が閉鎖される。
【００２５】
そして、排水電磁弁４０のソレノイド部４１への通電開始から若干遅れて、給水電磁弁２０のソレノイド部２１への通電が開始される。そうすると、可動鉄心２６が磁性チューブ２４に吸引される。この吸引力は、付勢バネ３３の付勢力よりも大きいので、ダイヤフラム弁体２７が弁座２８から離間する。これにより、入水ポート３８と出力ポート３２とが連通し、逆流防止装置１０内に水が流入する。
【００２６】
このように給水電磁弁２０のソレノイド部２１への通電開始タイミングを、排水電磁弁４０のソレノイド部４１への通電開始タイミングよりも若干遅くすることにより、弁体４７に水圧がかかっていない状態で、弁体４７を第１弁座５４から離間させて、第２弁座５５に当接させることができる。これにより、可動鉄心４６を吸引する力を小さくすることができるので、ソレノイド部４１を小さくすることができる。また、給水開始時に浴槽へ供給する水が排水路５３から排出されない。
【００２７】
このとき、排水電磁弁４０の入力ポート５１と出力ポート５２とが連通しているので、逆流防止装置１０内に流入した水は、流量センサ３０を通過し、排水電磁弁４０の入力ポート５１、弁室４９、および出力ポート５２を経て、逆止弁６０へと流れ込む。このため、逆止弁６０の入力ポート６６から弁体６１に水圧が作用する。この水圧により、弁体６１がスプリング６９の付勢力に抗して弁座６５から離間する。その結果、逆止弁６０へ流れ込んだ水は、逆止弁６０を通過して出力ポート６７を経て出水ポート６８から浴槽へと供給される。そして、逆流防止装置１０は、給水中は図２に示す状態になっており、流量センサ３０により給水量が計測されている。
【００２８】
そして、この流量センサ３０が所定値以下の流量しか検出しない場合には、電磁排水弁４０のソレノイド部４１への通電が停止される。これにより、水道管が負圧になった場合には、必ず給水電磁弁２０の出力ポート３２と排水路５３とが連通して、水道管に排水路５３から大気が吸い込まれるので、水道管への逆流が防止される。なお、水を浴槽へ供給しているときは、水道管内の圧力の方が浴槽に蓄えられる水の水圧より高いので、浴槽内の水が水道管に逆流することはない。
【００２９】
その後、給水を止めると、逆流防止装置１０は、次に述べるようにして再び図１に示す状態に戻る。まず、給水電磁弁２０のソレノイド部２１への通電が停止される。その結果、磁性チューブ２４の可動鉄心２６に対する吸引力が消滅する。そのため、可動鉄心２６は、付勢バネ３３の付勢力により下方へ付勢されて、ダイヤフラム弁体２７が弁座２８に当接する。これにより、入水ポート３８が閉鎖され、逆流防止装置１０内への水の流入が止まる。
【００３０】
また、給水電磁弁２０のソレノイド部２１への通電が停止された若干後に、排水電磁弁４０のソレノイド部４１への通電も停止される。その結果、磁性チューブ４４の可動鉄心４６に対する吸引力が消滅する。そのため、可動鉄心４６は、付勢バネ４８の付勢力よりにより左方へ付勢され、弁体４７の弁シート４７ｂが第２弁座５５から離間し、弁シート４７ａが第１弁座５４に当接する。これにより、出力ポート５２が閉鎖され、入力ポート５１と排水路５３とが連通する。
【００３１】
このように給水電磁弁２０のソレノイド部２１への通電の停止タイミングを、排水電磁弁４０のソレノイド部４１への通電の停止タイミングよりも若干早めることにより、給水電磁弁２０の出力ポート３２内および排水電磁弁４０の入力ポート５１内に水が残留し難くすることができる。
【００３２】
次に、断水により逆流防止装置１０のＩＮ側が負圧になった場合における逆流防止装置１０の動作について説明する。なお、図３は、ＩＮ側が負圧になった場合における逆流防止装置１０の状態を示す図である。
【００３３】
断水により入水ポート３８が負圧になると、ダイヤフラム室２９も負圧になる。連通路３１により、ダイヤフラム室２９は入水ポート３８に連通しているからである。このため、給水電磁弁２０のダイヤフラム弁２８が上方に持ち上げられ、弁座２８から離間してしまう。しかしながら、水道管と一端が大気開放された排水路５３とが連通しているので、負圧になった水道管内に排水路５３から大気が吸い込まれる。また、排水電磁弁４０の出力ポート５２が閉鎖されている。これらにより、たとえ逆止弁６０が故障したとしても、浴槽から水道管への雑水の逆流が確実に防止される。
【００３４】
さらに、逆止弁６０と排水電磁弁４０がともに故障した場合における逆流防止装置１０の動作について図４を参照しつつ説明する。なお、図４は、逆止弁６０と排水電磁弁４０がともに故障した場合における逆流防止装置１０の状態を示す図である。この場合、逆止弁６０まで雑水が逆流してくると、雑水は逆止弁６０を通過して排水電磁弁４０の出力ポート５２へと逆流する。
【００３５】
ここで、付勢バネ４８の付勢力が浴槽の水頭圧よりも大きい場合には、弁体４７が第１弁座５４から離間しないので、雑水の逆流はここで終わる。すなわち、雑水は水道管へ逆流することはない。
【００３６】
しかしながら、本実施の形態では、付勢力の小さい付勢バネ４８を使用しているため、雑水が逆止弁６０を通過して排水電磁弁４０の出力ポート５２へと逆流したときに、弁体４７が第１弁座５４から離間してしまう可能性がある。ところが、弁体４７が第１弁座５４から離間したとしても、逆流してきた雑水は、入力ポート５１へ逆流せずに排水路５３から排水される。したがって、雑水が水道管へ逆流することはない。このように本実施の形態に係る逆流防止装置１０では、逆止弁６０および排水電磁弁４０が故障した場合であっても、浴槽から水道管への雑水の逆流が確実に防止される。
【００３７】
以上、詳細に説明したように実施の形態に係る逆流防止装置１０によれば、給水電磁弁２０の出力ポート３２と逆止弁６０の入力ポート６６とを連通させる弁室４９と、弁室４９に連通する大気開放された排水路５３と、弁室４９内に配設された弁体４７と、その弁体４７が当接または離間する第１弁座５４および第２弁座５５と、弁体４７を第１弁座５４に当接させる方向に付勢する付勢バネ４８とを備える排水電磁弁４０を設け、排水電磁弁４０のソレノイド部４１に通電されているときは、弁体４７が第１弁座５４から離間して第２弁座５５に当接し、給水電磁弁２０の出力ポート３２と逆止弁６０の入力ポート６６とが連通し、排水電磁弁４０のソレノイド部４１に通電されていないときは、弁体４７が第２弁座５５から離間して第１弁座５４に当接し、給水電磁弁２０の出力ポート３２と排水路５３とが連通する。
【００３８】
このため、水道管が断水により負圧になった場合など装置上流側の圧力が装置下流側の圧力よりも低くなったとき、排水電磁弁４０のソレノイド部４１には通電されていないので、排水電磁弁４０の弁体４７が第２弁座５５から離間して第１弁座５４に当接し、給水電磁弁２０の出力ポート３２と排水路５３とが連通する。これにより、水道管には排水路５３から大気が吸い込まれる。したがって、たとえ逆止弁６０が故障したとしても、ＯＵＴ（装置下流）側からＩＮ（装置上流）側への逆流が防止される。また、このとき、ＯＵＴ側は排水電磁弁４０により閉鎖されているので、水道管に大気が吸い込まれても、ＯＵＴ側の水位は変動しない。
【００３９】
また、本発明に係る逆流防止装置１０では、水道管から給水を行うときには、排水電磁弁４０のソレノイド部４１に通電された後に給水電磁弁２０のソレノイド部２１に通電される。また、水道管からの給水を停止するときには、給水電磁弁２０のソレノイド部２１への通電が停止された後に排水電磁弁４０のソレノイド部４１への通電が停止される。
【００４０】
このため、給水時開始時に排水路５３から流れ出る水をほとんど無くすことができるとともに、給水停止時に給水電磁弁２０の出力ポート３２内および排水電磁弁４０の入力ポート５１内に残留する水を減らすことができる。
【００４１】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、逆止弁６０を１つだけ設けているが、図５に示すように、従来の逆流防止装置と同様に、逆止弁６０を２つ設けてもよい。
【００４２】
【発明の効果】
以上説明した通り本発明に係る逆流防止装置によれば、給水電磁弁の出力ポートと逆止弁の入力ポートとを連通させる弁室と、弁室に連通する大気開放された排水路と、弁室内に配設された弁体と、弁体が当接または離間する第１弁座および第２弁座と、弁体を第１弁座に当接させる方向に付勢する付勢バネとを備える排水電磁弁を有し、排水電磁弁がＯＮされると、弁体が第１弁座から離間して第２弁座に当接し、給水電磁弁の出力ポートと逆止弁の入力ポートとが連通し、排水電磁弁がＯＦＦされると、弁体が第２弁座から離間して第１弁座に当接し、給水電磁弁の出力ポートと排水路とが連通する。そして、水道管が断水により負圧になった場合など装置上流側の圧力が装置下流側の圧力よりも低くなったとき、排水電磁弁はＯＦＦされているので、排水電磁弁の弁体が第２弁座から離間して第１弁座に当接し、給水電磁弁の出力ポートと排水路とが連通する。このため、水道管には一端が大気開放された排水路から大気が吸い込まれる。したがって、たとえ逆止弁が故障したとしても、装置下流側から装置上流側への逆流が防止される。また、このとき、装置下流側は排水電磁弁により閉鎖されているので、水道管に大気が吸い込まれても、装置下流側の水位は変動しない。
【図面の簡単な説明】
【図１】  実施の形態に係る逆流防止装置の概略構成を示す断面図である。
【図２】  給水時における逆流防止装置の状態を示す図である。
【図３】  ＩＮ側が負圧になった場合における逆流防止装置の状態を示す図である。
【図４】  逆止弁と排水電磁弁がともに故障した場合における逆流防止装置の状態を示す図である。
【図５】  逆止弁を２つ設けた逆流防止装置の断面図である。
【図６】  従来の逆流防止装置の概略構成を示す断面図である。
【符号の説明】
１０    逆流防止装置
２０    給水電磁弁
３２    出力ポート（電磁給水弁）
３８    入水ポート
４０    排水電磁弁
４１    ソレノイド部
４７    弁体
４８    付勢バネ
４９    弁室
５１    入力ポート（電磁排水弁）
５２    出力ポート（電磁排水弁）
５３    排水路
５４    第１弁座
５５    第２弁座
６０    逆止弁
６６    入力ポート（逆止弁）
６８    出水ポート
【図１】
0003748831.tif 000002
【図２】
0003748831.tif 000003
【図３】
0003748831.tif 000004
【図４】
0003748831.tif 000005
【図５】
0003748831.tif 000006
【図６】
0003748831.tif 000007